(57)【要約】【課題】冷蔵庫において、コーナー部におけるウレタン発泡樹脂の局部的な収縮を抑制して外箱の歪みもしくは内箱の割れを防止すると共に、冷蔵庫本体の熱漏洩量を低減して消費電力を低減すること。【解決手段】冷蔵庫は、内箱１と外箱２とで構成される空間内に複数の真空断熱パネルを配設すると共にウレタン発泡樹脂４を充填した断熱壁を有する。真空断熱パネルは外箱面に設置した外箱側真空断熱パネル３ａと内箱面に設置した内箱側真空断熱パネル３ｂとからなる。外箱側真空断熱パネル３ａは外箱コーナー部２ｅの近傍まで延びている。外箱側真空断熱パネル３ａの設置面に隣接する外箱面に対向する内箱面１ａに設置された内箱側真空断熱パネル３ｂは、外箱コーナー部２ｅに対向した内箱コーナー部１ｅを覆ってさらに外箱側真空断熱パネル３ａの投影面で重なる位置まで内箱面１ｂに沿って延びている。【選択図】図１
2006242439.tif 000002
【特許請求の範囲】
【請求項１】
内箱と外箱とで構成される空間内に複数の真空断熱パネルを配設すると共にウレタン発泡樹脂を充填した断熱壁を有する冷蔵庫本体を備え、
外箱面に設置した外箱側真空断熱パネルと内箱面に設置した内箱側真空断熱パネルとから前記真空断熱パネルを構成してなる冷蔵庫において、
前記外箱側真空断熱パネルを外箱コーナー部の近傍まで延ばし、
前記外箱側真空断熱パネルの設置面に隣接する外箱面に対向する内箱面に設置された前記内箱側真空断熱パネルを、前記外箱コーナー部に対向した内箱コーナー部を覆ってさらに前記外箱側真空断熱パネルの投影面で重なる位置まで内箱面に沿って延ばした
ことを特徴とする冷蔵庫。
【請求項２】
請求項１に記載の冷蔵庫において、冷蔵庫本体内に複数の温度の異なる貯蔵室を形成し、温度の低い貯蔵室を構成する断熱壁が他の貯蔵室を構成する断熱壁より厚くなるように前記内箱を形成し、前記外箱側真空断熱パネルと前記内箱側真空断熱パネルとの重なり部分を前記温度の低い貯蔵室の断熱壁に位置させたことを特徴とする冷蔵庫。
【請求項３】
請求項２に記載の冷蔵庫において、前記温度の低い貯蔵室を最下部に配置し、前記温度の低い貯蔵室の両側の断熱壁が前記他の貯蔵室の両側の断熱壁より厚くなるように前記内箱を形成し、平板状の前記外箱側真空断熱パネルを前記外箱の両側面に前記温度の低い貯蔵室と前記他の貯蔵室とにまたがって対応するように設置し、前記内箱側真空断熱パネルを前記内箱の底面から左右両側の内箱コーナー部を覆ってさらに内箱両側面に沿って延ばしたことを特徴とする冷蔵庫。
【請求項４】
請求項３に記載の冷蔵庫において、前記温度の低い貯蔵室の両側の断熱壁における前記内箱側真空断熱パネルと前記外箱側真空断熱パネルとの重なり部の間隙に位置するウレタン発泡樹脂の厚さを、前記他の貯蔵室の両側断熱壁における前記外箱側真空断熱パネルと前記内箱との間に位置するウレタン発泡樹脂の厚さと同等以上にしたことを特徴とする冷蔵庫。
【請求項５】
請求項３に記載の冷蔵庫において、前記内箱の両側面における前記左右両側の内箱コーナー部から上方に至る所定範囲を平坦部としており、前記内箱側真空断熱パネルを前記内箱両側面の平坦部に沿って延ばしたことを特徴とする冷蔵庫。
【請求項６】
請求項１に記載の冷蔵庫において、前記内箱側真空断熱パネルと前記外箱側真空断熱パネルとの重なり方向寸法を５ｍｍ以上としたことを特徴とする冷蔵庫。
【請求項７】
内箱と外箱とで構成される空間内に複数の真空断熱パネルを配設すると共にウレタン発泡樹脂を充填した断熱壁を有する冷蔵庫本体を備え、外箱面に設置した外箱側真空断熱パネルと内箱面に設置した内箱側真空断熱パネルとから前記真空断熱パネルを構成してなる冷蔵庫の製造方法において、
平板状の前記外箱側真空断熱パネルを外箱コーナー部の近傍まで延ばして外箱面に貼り付け、
平板状の前記内箱側真空断熱パネルを、前記外箱側真空断熱パネルの設置面に隣接する外箱面に対向する内箱面から前記外箱コーナー部に対向した内箱コーナー部を覆ってさらに前記外箱側真空断熱パネルに対向して重なる位置まで内箱面を覆うように変形して貼り付け、
しかる後に前記ウレタン発泡樹脂を前記内箱と前記外箱とで構成される空間内に充填して断熱壁を形成する
ことを特徴とする冷蔵庫の製造方法。
【請求項８】
請求項７に記載の冷蔵庫の製造方法において、温度の低い貯蔵室を構成する断熱壁が他の貯蔵室を構成する断熱壁より厚くなるように前記内箱を形成し、前記外箱側真空断熱パネルと前記内箱側真空断熱パネルとの重なり部分を前記温度の低い貯蔵室の断熱壁に位置させ、しかる後に前記ウレタン発泡樹脂を前記内箱と前記外箱とで構成される空間内に充填して断熱壁を形成することを特徴とする冷蔵庫の製造方法。
【発明の詳細な説明】
【技術分野】
【０００１】
本発明は、冷蔵庫及びその製造方法に係り、特に内箱と外箱とで構成される空間内に複数の真空断熱パネルを配設すると共にウレタン発泡樹脂を充填した冷蔵庫本体を備えた冷蔵庫及びその製造方法に好適なものである。
【背景技術】
【０００２】
近年の地球環境保全意識の高まりもあって、冷蔵庫の消費電力を低減することが望まれている。従来はウレタン発泡樹脂を冷蔵庫本体の断熱材として使用してきたが、グラスウールなどの芯材を薄肉の複合樹脂のフィルム内に配置して真空引きすることにより形成された真空断熱パネルの方がウレタン発泡樹脂よりも熱伝導率を低くできるために、真空断熱パネルをウレタン発泡樹脂と併用して用いる冷蔵庫が開発されている。
【０００３】
従来の真空断熱パネルを用いた冷蔵庫としては、例えば特開２００４−２０１４８号公報（特許文献１）に示されたものがある。この冷蔵庫は、図６に示すように、内箱２２と外箱２３とで構成される空間内に複数の真空断熱パネル（真空断熱材）４１、４３、４４、４４ａ、４６を配設すると共にウレタン発泡樹脂（硬質ウレタンフォーム）２４を充填した断熱壁を有する冷蔵庫本体２１を備えて構成されている。
【０００４】
この冷蔵庫本体２１は、同じ厚さの上壁、両側壁及び底壁を有しており、複数の貯蔵室２６、２７、２８、２９を形成している。温度の高い貯蔵室２６、２７が上部に配置され、温度の低い貯蔵室２８、２９が下部に配置されている。この冷蔵庫本体２１に配設された真空断熱パネル４１、４３、４４、４４ａ、４６は、温度の高い貯蔵室２６、２７に対応する外箱上面及び外箱両側面に設置した外箱側真空断熱パネル４１、４４と、温度の低い貯蔵室２８、２９に対応する内箱下面及び内箱両側面に設置した内箱側真空断熱パネル４３、４４ａと、仕切り壁に設置した仕切り側真空断熱パネル４６と、から構成されている。そして、温度の高い貯蔵室２６、２７に対応する外箱側真空断熱パネル４４の下端部と温度の低い貯蔵室２８、２９に対応する内箱両側面に設置した内箱側真空断熱パネル４４ａの上端部との投影面が重なるように配置されている。
【０００５】
【特許文献１】特開２００４−２０１４８号公報
【発明の開示】
【発明が解決しようとする課題】
【０００６】
しかし、真空断熱パネルを用いた特許文献１に示す冷蔵庫では、冷蔵庫本体２１の上壁または底壁と両側壁とが交差するコーナー部に真空断熱パネル４１、４３、４４、４４ａが配置されていないため、真空断熱パネルを設置していないコーナー部からの熱漏洩量が大きく、消費電力が十分に低減できないという問題があった。特に、温度の低い冷凍室を構成する貯蔵室２９を形成する底壁と両側壁とが交差するコーナー部からの熱漏洩量が著しく大きいことが問題であった。
【０００７】
また、上壁または底壁と両側壁とを連結するコーナー部は断熱壁が局部的に厚くなる部分であり、特許文献１に示す冷蔵庫では、この部分に真空断熱パネル４１、４３、４４、４４ａが設置されておらず、ウレタン発泡樹脂２４だけが設置されているので、コーナー部におけるウレタン発泡樹脂２４の冷却時の局部的な収縮により、外箱２３の歪もしくは内箱２１の割れが発生するおそれがあった。
【０００８】
さらには、外箱側真空断熱パネル４４の下端部と内箱側真空断熱パネル４４ａの上端部との重なり部のウレタン発泡樹脂２４の充填隙間が狭くなり、ウレタン発泡樹脂２４の流動性を阻害し、生産性が低下したり、ウレタン発泡樹脂の未充填部分ができたりするおそれがあった。
【０００９】
本発明の目的は、コーナー部におけるウレタン発泡樹脂の局部的な収縮を抑制して外箱の歪みもしくは内箱の割れを防止することができると共に、冷蔵庫本体の熱漏洩量を低減して消費電力を低減することができる冷蔵庫及びその製造方法を提供することにある。
【課題を解決するための手段】
【００１０】
前述の目的を達成するための本発明の第１の態様は、内箱と外箱とで構成される空間内に複数の真空断熱パネルを配設すると共にウレタン発泡樹脂を充填した断熱壁を有する冷蔵庫本体を備え、外箱面に設置した外箱側真空断熱パネルと内箱面に設置した内箱側真空断熱パネルとから前記真空断熱パネルを構成してなる冷蔵庫において、前記外箱側真空断熱パネルを外箱コーナー部の近傍まで延ばし、前記外箱側真空断熱パネルの設置面に隣接する外箱面に対向する内箱面に設置された前記内箱側真空断熱パネルを、前記外箱コーナー部に対向した内箱コーナー部を覆ってさらに前記外箱側真空断熱パネルの投影面で重なる位置まで内箱面に沿って延ばしたものである。
【００１１】
係る本発明の第１の態様におけるより好ましい具体的構成例は次の通りである。
（１）冷蔵庫本体内に複数の温度の異なる貯蔵室を形成し、温度の低い貯蔵室を構成する断熱壁が他の貯蔵室を構成する断熱壁より厚くなるように前記内箱を形成し、前記外箱側真空断熱パネルと前記内箱側真空断熱パネルとの重なり部分を前記温度の低い貯蔵室の断熱壁に位置させたこと。
（２）前記温度の低い貯蔵室を最下部に配置し、前記温度の低い貯蔵室の両側の断熱壁が前記他の貯蔵室の両側の断熱壁より厚くなるように前記内箱を形成し、平板状の前記外箱側真空断熱パネルを前記外箱の両側面に前記温度の低い貯蔵室と前記他の貯蔵室とにまたがって対応するように設置し、前記内箱側真空断熱パネルを前記内箱の底面から左右両側の内箱コーナー部を覆ってさらに内箱両側面に沿って延ばしたこと。
（３）前記温度の低い貯蔵室の両側の断熱壁における前記内箱側真空断熱パネルと前記外箱側真空断熱パネルとの重なり部の間隙に位置するウレタン発泡樹脂の厚さを、前記他の貯蔵室の両側断熱壁における前記外箱側真空断熱パネルと前記内箱との間に位置するウレタン発泡樹脂の厚さと同等以上にしたこと。
（４）前記内箱の両側面における前記左右両側の内箱コーナー部から上方に至る所定範囲を平坦部としており、前記内箱側真空断熱パネルを前記内箱両側面の平坦部に沿って延ばしたこと。
（５）前記内箱側真空断熱パネルと前記外箱側真空断熱パネルとの重なり方向寸法を５ｍｍ以上としたこと。
【００１２】
また、本発明の第２の態様は、内箱と外箱とで構成される空間内に複数の真空断熱パネルを配設すると共にウレタン発泡樹脂を充填した断熱壁を有する冷蔵庫本体を備え、外箱面に設置した外箱側真空断熱パネルと内箱面に設置した内箱側真空断熱パネルとから前記真空断熱パネルを構成してなる冷蔵庫の製造方法において、平板状の前記外箱側真空断熱パネルを外箱コーナー部の近傍まで延ばして外箱面に貼り付け、平板状の前記内箱側真空断熱パネルを、前記外箱側真空断熱パネルの設置面に隣接する外箱面に対向する内箱面から前記外箱コーナー部に対向した内箱コーナー部を覆ってさらに前記外箱側真空断熱パネルに対向して重なる位置まで内箱面を覆うように変形して貼り付け、しかる後に前記ウレタン発泡樹脂を前記内箱と前記外箱とで構成される空間内に充填して断熱壁を形成するようにしたことにある。
【００１３】
係る本発明の第２の態様におけるより好ましい具体的構成例は次の通りである。
（１）温度の低い貯蔵室を構成する断熱壁が他の貯蔵室を構成する断熱壁より厚くなるように前記内箱を形成し、前記外箱側真空断熱パネルと前記内箱側真空断熱パネルとの重なり部分を前記温度の低い貯蔵室の断熱壁に位置させ、しかる後に前記ウレタン発泡樹脂を前記内箱と前記外箱とで構成される空間内に充填して断熱壁を形成すること。
【発明の効果】
【００１４】
本発明の冷蔵庫及びその製造方法によれば、コーナー部におけるウレタン発泡樹脂の局部的な収縮を抑制して外箱の歪みもしくは内箱の割れを防止することができると共に、冷蔵庫本体の熱漏洩量を低減して消費電力を低減することができる。
【発明を実施するための最良の形態】
【００１５】
以下、本発明の一実施例に係る冷蔵庫及びその製造方法について図１から図５を用いて説明する。
【００１６】
まず、本実施例の冷蔵庫の全体に関して図１及び図２を参照しながら説明する。図１は本発明の第１実施例に係る冷蔵庫の冷蔵庫本体部分の縦断面正面図、図２は図１の冷蔵庫に用いる内箱と外箱を示す斜視図である。
【００１７】
冷蔵庫は、箱状に形成された冷蔵庫本体５と、冷蔵庫本体５の前面開口を開閉する扉（図示せず）とを備えて構成されている。冷蔵庫本体５は、合成樹脂製の内箱１とこの内箱１を覆う鋼板製の外箱２とで構成される空間内に、複数の真空断熱パネル３ａ、３ｂを配設すると共に、ウレタン発泡樹脂４を充填することにより形成した断熱壁を有している。この断熱壁は、底壁、両側壁、上壁及び背壁から構成されている。この両側壁は、薄い部分（貯蔵室１１、１２の両側壁部分）で３０ｍｍ程度、厚い部分（貯蔵室１０の両側壁部分）で５０ｍｍ程度の厚さを有している。
【００１８】
また、冷蔵庫本体５は、温度の異なる貯蔵室１０〜１２を複数形成しており、各貯蔵室１０〜１２間には区画壁（図示せず）が設けられている。貯蔵室１０は、温度の低い貯蔵室（具体的には冷凍室）であり、複数の貯蔵室における最下部に配置されている。貯蔵室１１は、温度の低い貯蔵室１０より温度が高い貯蔵室（具体的には野菜室）であり、複数の貯蔵室における中間部に配置されている。貯蔵室１２は、温度の低い貯蔵室１０より温度が高い貯蔵室（具体的には冷蔵室）であり、複数の貯蔵室における最上部に配置されている。貯蔵室１０〜１２は、圧縮機、凝縮器、減圧装置及び冷却器などからなる冷凍サイクル及び冷却ファンなどを用いて冷却される。
【００１９】
内箱１は、貯蔵室１０〜１２を形成する壁面を構成するものであり、底面１ａ、両側面１ｂ、上面１ｃ及び背面１ｄからなっている。そして、内箱１は、温度の低い貯蔵室１０の両側の断熱壁が他の貯蔵室１１、１２の両側の断熱壁より厚くなるように形成されている。内箱１の底面１ａの左右両側の内箱コーナー部１ｅは、円弧面または傾斜面を有して形成されている。内箱１の両側面１ｂは、左右両側の内箱コーナー部１ｅから上方に延びる所定範囲に平坦部１ｆが形成され、それより上方に延びる範囲に凹段部１ｇなどが形成されている。
【００２０】
外箱２は、冷蔵庫本体５の外観を形成する壁面を構成するものであり、底面２ａ、両側面２ｂ、上面２ｃ及び背面２ｄからなっている。両側面２ｂは全体が平坦面で形成されている。
【００２１】
上述した複数の真空断熱パネル３ａ、３ｂは、外箱面に密着して設置した外箱側真空断熱パネル３ａと、内箱面に密着して設置した内箱側真空断熱パネル３ｂとから構成されている。真空断熱パネル３ａ、３ｂは、１０ｍｍ程度の厚さで構成されている。
【００２２】
外箱側真空断熱パネル３ａは、平板状に構成されており、外箱２の両側面２ｂに、温度の低い貯蔵室１０と他の貯蔵室１１、１２とにまたがって対応するように設置されると共に、底面２ａの左右両側の外箱コーナー部２ｅの近傍まで延びている。換言すれば、両側面２ｂに設置される外箱側真空断熱パネル３ａは、外箱２の両側面２ｂのほぼ上下全体にわたって設置されている。
【００２３】
内箱１の底面１ａに設置された内箱側真空断熱パネル３ｂは、外箱コーナー部２ｅに対向した内箱コーナー部１ｅを覆ってさらに外箱側真空断熱パネル３ａの投影面で重なる位置まで内箱面に沿って延びるように設置されている。具体的には、内箱１の底面１ａに設置された内箱側真空断熱パネル３ｂは、左右両側の内箱コーナー部１ｅを覆って延びると共に、温度の低い貯蔵室１０の両側の厚い断熱壁を形成する内箱１の両側面１ｂの平坦部に沿って延び、この厚い断熱壁に位置して外箱側真空断熱パネル３ａの投影面で重なるように設置されている。温度の低い貯蔵室１０の両側の断熱壁における内箱側真空断熱パネル３ｂと外箱側真空断熱パネル３ａとの重なり部の間隙に位置するウレタン発泡樹脂４の厚さは、他の貯蔵室１１、１２の両側断熱壁における外箱側真空断熱パネル３ａと内箱１との間に位置するウレタン発泡樹脂４の厚さと同等以上に設定されている。
【００２４】
かかる冷蔵庫本体５の断熱壁の製造方法を説明する。内箱１の底面１ａに設置される内箱側真空断熱パネル３ｂとして、変形可能な平板状に形成されているものを用いると共に、外箱２の両側面２ｂに設置される外箱側真空断熱パネル３ａとして、剛性を有する平板状に形成されているものを用いる。内箱１に内箱側真空断熱パネル３ｂを変形して上述の状態に設置してテープなどで貼り付けると共に、外箱２に外箱側真空断熱パネル３ａを上述の状態に設置してテープなどで貼り付ける。このように構成した内箱１及び外箱２を組合せ、内箱１と外箱２とで構成される空間内にウレタン発泡樹脂４を充填してモールドすることにより、断熱壁を形成する。外箱側真空断熱パネル３ａ及び内箱側真空断熱パネル３ｂは、ウレタン発泡樹脂４の発泡圧により外箱２及び内箱１の設置面に押圧されて密着され、ウレタン発泡樹脂４により周囲を保持されて固定される。
【００２５】
次に、内箱１と外箱２に設置された真空断熱パネル３ａ、３ｂ間の重なり部の有無による熱漏洩量の評価を図３から図５を参照しながら説明する。図３は熱漏洩量の評価のための簡易形状モデル５Ａの例を示す断面図、図４は図３の簡易形状モデル５Ａによる真空断熱パネル３ａ、３ｂの重なり寸法Ｌを変更した場合における熱漏洩量計算結果を示す特性図、図５は低温度側１４（内箱１ｂ側）のみに真空断熱パネル３ｂを全面的に用いた簡易形状モデル５Ａの例を示す断面図である。なお、図３及び図５の簡易形状モデル５Ａにおける各部の符号は、本実施例の冷蔵庫における各部に対応する符号を用いている。
【００２６】
簡易形状モデル５Ａは矩形の平板で構成されている。簡易形状モデル５Ａの真空断熱パネル３ａ、３ｂと発泡ウレタン樹脂４とで構成される全体の断熱層の肉厚は５０ｍｍであり、紙面の上下方向の寸法は８００ｍｍであり、紙面の奥行き方向の寸法は５００ｍｍである。また、真空断熱パネル３ａ、３ｂの肉厚は１０ｍｍである。真空断熱パネル３ａ、３ｂの重なり寸法Ｌは、重ならずに間隔が空いているときに＋の値で表示し、重なっているときは−の値で表示した。ここで、解析の条件は、低温度側１４の貯蔵室１０の温度を−１８℃、高温度側１５（外箱２ｂ側）の外気温度を３０℃、低温度側１４の室内空気と断熱層との熱伝達率６．６３Ｗ／（ｍ２・Ｋ）、高温度側１５の外気と断熱層との熱伝達率５．８２Ｗ／（ｍ２・Ｋ）、真空断熱パネル３の熱伝導率０．００３Ｗ／（ｍ・Ｋ）、ウレタン発泡樹脂４の熱伝導率０．０１７Ｗ／（ｍ・Ｋ）とした。なお、室内空気及び外気の温度は常に一定とした。解析には汎用熱流体ソフトを用い、全体の断熱層を１３０００の直行差分要素で分割し、１０００００ｓ後の低温度側１４の熱漏洩量を計算した。また、図５に示すように、低温度側１４だけに真空断熱パネル３ｂを全面設置した検討も行った。
【００２７】
低温度側１４の最外層における各要素について、熱伝導率をλ（Ｗ／（ｍ・Ｋ））、温度勾配方向の肉厚δ（ｍ）、低温度側１４の最外層の面積をＡ（ｍ２）、低温度側１４の外気温度をＴｃ（℃）、要素内の高温度側１５の温度をＴｈ（℃）とすると、熱漏洩量Ｑ（Ｗ）は次の式（１）及び式（２）で表せる。
Ｑ  ＝（Ｔｈ−Ｔｃ）・Ａ・ｋｖ            …（１）
Ｋｖ＝１／（１／α＋δ／λ）              …（２）
熱漏洩量Ｑの計算結果を図４に示す。図４から明らかなように、真空断熱パネル３ａ、３ｂ間の重なり寸法Ｌによって熱漏洩量Ｑは大きく変化し、真空断熱パネル３ａ、３ｂ間で重なりが生ずると（重なり寸法Ｌが０以下になると）、熱漏洩量Ｑは大幅に低いものとなる。また、図５に示す低温度側１４だけに真空断熱パネル３ｂを全面設置した場合の計算結果と等しい熱漏洩量Ｑとするための真空断熱パネル３間の重なり寸法Ｌは−７．５ｍｍである。温度勾配方向の両側に設置する真空断熱パネル３ａ、３ｂの配置として、断熱層の温度勾配方向に一面全てに真空断熱パネル３ｂを設置した場合よりも熱漏洩量が少なくなることが望ましいので、真空断熱パネル３ａ、３ｂ間の重なり寸法Ｌは、真空断熱パネル３ａ、３ｂの貼付け寸法を考慮してＬ＜−５ｍｍであることが望ましい。
【００２８】
本実施例によれば、外箱側真空断熱パネル３ａを外箱コーナー部２ｅの近傍まで延ばし、外箱側真空断熱パネル３ａの設置面に隣接する外箱面に対向する内箱面１ａに設置された内箱側真空断熱パネル３ｂを、外箱コーナー部２ｅに対向した内箱コーナー部１ｅを覆ってさらに外箱側真空断熱パネル３ａの投影面で重なる位置まで内箱面１ｂに沿って延ばすようにしているので、コーナー部におけるウレタン発泡樹脂の局部的な収縮を抑制して外箱の歪みもしくは内箱の割れを防止することができると共に、冷蔵庫本体５の熱漏洩量を低減して消費電力を低減することができる。
【００２９】
また、本実施例によれば、冷蔵庫本体５内に複数の温度の異なる貯蔵室１０〜１２を形成し、温度の低い貯蔵室１０を構成する断熱壁が他の貯蔵室１１、１２を構成する断熱壁より厚くなるように内箱１を形成し、外箱側真空断熱パネル３ａと内箱側真空断熱パネル３ｂとの重なり部分を温度の低い貯蔵室１０の断熱壁に位置させるようにしているので、温度の低い貯蔵室１０を構成する断熱壁における熱漏洩量を効果的に低減しつつ、重なり部分におけるウレタン発泡樹脂４の流動性を阻害することなく、生産性の高いものとすることができる。
【００３０】
また、本実施例によれば、温度の低い貯蔵室１０を最下部に配置し、温度の低い貯蔵室１０の両側の断熱壁が他の貯蔵室１１、１２の両側の断熱壁より厚くなるように内箱１を形成し、平板状の外箱側真空断熱パネル３ａを外箱２の両側面に温度の低い貯蔵室１０と他の貯蔵室１１、１２とにまたがって対応するように設置し、内箱側真空断熱パネル３ｂを内箱１の底面から左右両側の内箱コーナー部１ｅを覆ってさらに内箱両側面１ｂに沿って延ばすようにしているので、内箱側真空断熱パネル３ｂ及び外箱側真空断熱パネル３ａの数を減らすと共に、温度の低い貯蔵室１０を構成する断熱壁における熱漏洩量をさらに効果的に低減しつつ、重なり部分におけるウレタン発泡樹脂４の流動性を阻害することなく、生産性の高いものとすることができる。
【００３１】
また、本実施例によれば、温度の低い貯蔵室１０の両側の断熱壁における内箱側真空断熱パネル３ｂと外箱側真空断熱パネル３ａとの重なり部の間隙に位置するウレタン発泡樹脂の厚さを、他の貯蔵室１１、１２の両側断熱壁における外箱側真空断熱パネル３ａと内箱１との間に位置するウレタン発泡樹脂４の厚さと同等以上にしているので、重なり部分におけるウレタン発泡樹脂４の流動性を確実に確保して、生産性の高いものとすることができる。
【００３２】
また、本実施例によれば、内箱１の両側面における左右両側の内箱コーナー部１ｅから上方に至る所定範囲を平坦部１ｆとしており、内箱側真空断熱パネル３ｂを内箱両側面の平坦部１ｆに沿って延ばしているので、内箱側真空断熱パネル３ｂを内箱両側面の平坦部１ｆに確実に密着させることができる。
【図面の簡単な説明】
【００３３】
【図１】本発明の第１実施例に係る冷蔵庫の冷蔵庫本体部分の縦断面正面図である。
【図２】図１の冷蔵庫に用いる内箱と外箱を示す斜視図である。
【図３】熱漏洩量の評価のための簡易形状モデルの例を示す断面図である。
【図４】図３の簡易形状モデルによる真空断熱パネルの重なり方向の寸法を変更した場合における熱漏洩量計算結果を示す特性図である。
【図５】低温度側のみに真空断熱パネルを全面的に用いた簡易形状モデルの例を示す断面図である。
【図６】従来の冷蔵庫の冷蔵庫本体部分の縦断面正面図である。
【符号の説明】
【００３４】
１…内箱、１ａ…底面、１ｂ…側面、１ｃ…上面、１ｄ…背面、１ｅ…コーナー部、１ｆ…平坦部、１ｇ…凹凸部、２…外箱、２ａ…底面、２ｂ…側面、２ｃ…上面、２ｄ…背面、２ｅ…コーナー部、３ａ，３ｂ…真空断熱パネル、４…ウレタン発泡樹脂、５…冷蔵庫本体、５Ａ…簡易形状モデル、１０…貯蔵室（冷凍室）、１１…貯蔵室（野菜室）、１２…貯蔵室（冷蔵室）。
【図１】
2006242439.tif 000003
【図２】
2006242439.tif 000004
【図３】
2006242439.tif 000005
【図４】
2006242439.tif 000006
【図５】
2006242439.tif 000007
【図６】
2006242439.tif 000008